(57)【特許請求の範囲】
【請求項１】
定期券情報，乗車券情報を含む車両利用券情報を予め格納したＩＣカードと、このＩＣカードを自動改札する駅構内に設置した自動改札機と、この自動改札機に接続したユーザー情報管理サーバーと、通信回線と、この通信回線に相互に接続された前記ユーザー情報管理サーバー，配信サーバー及び入金端末と、前記通信回線に接続する移動体通信網に接続される前記ＩＣカードに対応する携帯端末とを有し、
ユーザーを識別するためのユーザー識別情報を予め格納した前記ＩＣカードと、
前記ユーザーが所持する前記ＩＣカードを自動改札し自動改札したときに前記ＩＣカードに予め格納した前記ユーザー識別情報を読みとり、自動改札機自身に予め格納したこの自動改札機がどの駅のどの場所に設置されているかを特定するための地域情報を前記ユーザー識別情報とともに前記ユーザー情報管理サーバーへ送信する前記自動改札機と、
前記ユーザー識別情報に対応するユーザー情報（配信を希望する情報・広告の種類、前記情報・広告の配信先の携帯端末のＥメールアドレスを含む。）を予め格納し、前記自動改札機より前記ユーザー識別情報と前記地域情報とを受けこの受けた前記ユーザー識別情報に対応する前記ユーザー情報をユーザー情報管理サーバー自身に予め格納した前記ユーザー情報より選出しこの選出した前記ユーザー情報を前記自動改札機より受けた前記地域情報とともに前記配信サーバーへ送信し、この送信した前記ユーザー情報と前記地域情報とに対応する前記情報・広告を受けたことを示す情報・広告配信確認情報を前記携帯端末より受けてこの情報・広告配信確認情報を前記ユーザー情報内に格納し、前記入金端末より前記ユーザー識別情報を受けこの受けた前記ユーザー識別情報に対応する前記ユーザー情報内の前記情報・広告配信確認情報を前記入金端末に送信する前記ユーザー情報管理サーバーと、
駅周辺の地域の前記情報・広告を予め格納し、前記ユーザー情報管理サーバーより前記ユーザー情報と前記地域情報とを受けこの受けた前記ユーザー情報と前記地域情報とを使用して配信サーバー自身に予め格納した前記情報・広告から前記ユーザー情報で示す配信先に配信すべき前記情報・広告を選出しこの選出した前記情報・広告を前記携帯端末へ送信する前記配信サーバーと、
前記配信サーバーより前記情報・広告を受けて表示し、前記ユーザーの指示により、前記情報・広告を受けたことを示す前記情報・広告配信確認情報を前記ユーザー情報管理サーバーへ送信する前記携帯端末と、
前記ユーザーの指示により入金端末自身に入れられた前記ＩＣカードへこのＩＣカードに格納した前記車両利用券情報の有効性を維持するために前記ユーザーの指示により入金し、前記ＩＣカードに入金するときにこのＩＣカードに格納した前記ユーザー識別情報を前記ユーザー情報管理サーバーへ送信しこの送信に対応して前記ユーザー情報管理サーバより前記情報・広告配信確認情報を受けこの受けた前記情報・広告配信確認情報に対応する前記情報・広告を前記携帯電話が受信したときの受信料の補助として前記ＩＣカードへ予め定めた受信料補助金を入金する前記入金端末と、
を備えたことを特徴とする情報・広告配信システム。
【請求項２】
前記配信サーバーは、前記ユーザー情報管理サーバーより受けた前記地域情報より前記ユーザーの現在位置を特定しこの特定した現在位置に応じた地域に関して、前記ユーザー情報管理サーバーより受けた前記ユーザー情報内の配信を希望する前記情報・広告の種類に基づいた前記情報・広告を配信サーバー自身に予め格納した前記情報・広告から選出することを特徴とする請求項１記載の情報・広告配信システム。
【請求項３】
前記ユーザーの指示にしたがって前記ユーザー情報を登録するホームページにアクセスして登録用画面を表示しこの登録用画面に表示された前記ユーザー情報の登録内容（配信を希望する情報・広告の種類、前記情報・広告の配信先の携帯端末のＥメールアドレスを含む。）を前記ユーザーの指示にしたがって指定しこの指定した前記ユーザー情報の前記登録内容を前記ユーザー情報管理サーバーに送信する前記携帯端末と、
予め、前記携帯端末より前記ユーザー情報の前記登録内容を受けて格納する前記ユーザー情報管理サーバーと、
を備えたことを特徴とする請求項１又は２記載の情報・広告配信システム。
【請求項４】
前記ユーザーの指示にしたがって前記ユーザー情報を登録するホームページにアクセスして登録用画面を表示しこの登録用画面に表示された前記ユーザー情報の登録内容（配信を希望する情報・広告の種類、前記情報・広告の配信先の携帯端末のＥメールアドレスを含む。）を前記ユーザーの指示にしたがって指定しこの指定した前記ユーザー情報の前記登録内容を前記ユーザー情報管理サーバーに送信する前記通信回線に接続したパーソナルコンピュータを含むユーザー端末と、
予め、前記ユーザー端末より前記ユーザー情報の前記登録内容を受けて格納する前記ユーザー情報管理サーバーと、
を備えたことを特徴とする請求項１又は２記載の情報・広告配信システム。
【請求項５】
前記通信回線はインターネットであることを特徴とする請求項１、２、３又は４記載の情報・広告配信システム。
【請求項６】
定期券情報，乗車券情報を含む車両利用券情報を予め格納するとともにユーザーを識別するためのユーザー識別情報を予め格納するＩＣカードを駅構内に設置した自動改札機により自動改札し、自動改札したときにこのＩＣカードに格納した前記ユーザー識別情報に基づいて前記ユーザーが希望する情報・広告を前記ユーザーの携帯端末に送信するようにした情報・広告配信方法であって、
前記自動改札機により、前記ユーザーが所持する前記ＩＣカードを自動改札し自動改札したときに前記ＩＣカードに予め格納した前記ユーザー識別情報を読みとり、自動改札機自身に予め格納したこの自動改札機がどの駅のどの場所に設置されているかを特定するための地域情報を前記ユーザー識別情報とともに送信する第１ステップと、
ユーザー情報管理サーバーにより、前記ユーザー識別情報に対応するユーザー情報（配信を希望する情報・広告の種類、前記情報・広告の配信先の携帯端末のＥメールアドレスを含む。）を予め格納し、前記第１ステップで前記自動改札機が送信した前記ユーザー識別情報と前記地域情報とを受けこの受けた前記ユーザー識別情報に対応する前記ユーザー情報をユーザー情報管理サーバー自身に予め格納した前記ユーザー情報より選出しこの選出した前記ユーザー情報を前記自動改札機より受けた前記地域情報とともに送信する第２ステップと、
配信サーバーにより、駅周辺の地域の前記情報・広告を予め格納し、前記第２ステップで前記ユーザー情報管理サーバーが送信した前記ユーザー情報と前記地域情報とを受けこの受けた前記ユーザー情報と前記地域情報とを使用して配信サーバー自身に予め格納した前記情報・広告から前記ユーザー情報で示す配信先に配信すべき前記情報・広告を選出しこの選出した前記情報・広告を送信する第３ステップと、
携帯端末により、前記第３ステップで前記配信サーバーが送信した前記情報・広告を受けて表示する第４ステップと、
前記携帯端末により、前記ユーザーの指示により、前記第４ステップで携帯端末自身が前記情報・広告を受けたことを示す情報・広告配信確認情報を前記ユーザー情報管理サーバーへ送信する第５ステップと、
前記ユーザー情報管理サーバーにより、前記第５ステップで前記携帯端末が送信した前記情報・広告配信確認情報を受けこの受けた前記情報・広告配信確認情報を前記ユーザー情報内に格納する第６ステップと、
入金端末により、前記ユーザーの指示によりこの入金端末に入れられた前記ＩＣカードへこのＩＣカードに格納した前記車両利用券情報の有効性を維持するために前記ユーザーの指示により入金し、前記ＩＣカードに入金するときにこのＩＣカードに格納した前記ユーザー識別情報を前記ユーザー情報管理サーバーへ送信する第７ステップと、
前記ユーザー情報管理サーバーにより、前記第７ステップで前記入金端末が送信した前記ユーザー識別情報を受けこの受けた前記ユーザー識別情報に対応する前記ユーザー情報内の前記情報・広告配信確認情報を前記入金端末に送信する第８ステップと、
前記入金端末により、前記第８ステップで前記ユーザー情報管理サーバが送信した前記情報・広告配信確認情報を受けこの受けた前記情報・広告配信確認情報に対応する前記情報・広告を前記携帯電話が受信したときの受信料の補助として前記ＩＣカードへ予め定めた受信料補助金を入金する第９ステップと、
を含むことを特徴とする情報・広告配信方法。
【請求項７】
前記第３ステップは、前記配信サーバーにより、前記ユーザー情報管理サーバーより受けた前記地域情報より前記ユーザーの現在位置を特定しこの特定した現在位置に応じた地域に関して、前記ユーザー情報管理サーバーより受けた前記ユーザー情報内の配信を希望する前記情報・広告の種類に基づいた前記情報・広告を配信サーバー自身に予め格納した前記情報・広告から選出するようにしたことを特徴とする請求項６記載
の情報・広告配信方法。
【請求項８】
前記第２ステップより以前に、前記携帯端末により、前記ユーザーの指示にしたがって前記ユーザー情報を登録するホームページにアクセスして登録用画面を表示しこの登録用画面に表示された前記ユーザー情報の登録内容（配信を希望する情報・広告の種類、前記情報・広告の配信先の携帯端末のＥメールアドレスを含む。）を前記ユーザーの指示にしたがって指定しこの指定した前記ユーザー情報の前記登録内容を前記ユーザー情報管理サーバーに送信するステップと、
前記ユーザー情報管理サーバーにより、前記携帯端末より前記ユーザー情報の前記登録内容を受けて格納するステップと、
を含むことを特徴とする請求項６又は７記載の情報・広告配信方法。
【請求項９】
前記第２ステップより以前に、パーソナルコンピュータを含むユーザー端末により、前記ユーザーの指示にしたがって前記ユーザー情報を登録するホームページにアクセスして登録用画面を表示しこの登録用画面に表示された前記ユーザー情報の登録内容（配信を希望する情報・広告の種類、前記情報・広告の配信先の携帯端末のＥメールアドレスを含む。）を前記ユーザーの指示にしたがって指定しこの指定した前記ユーザー情報の前記登録内容を前記ユーザー情報管理サーバーに送信するステップと、
前記ユーザー情報管理サーバーにより、前記ユーザー端末より前記ユーザー情報の前記登録内容を受けて格納するステップと、
を含むことを特徴とする請求項６又は７記載の情報・広告配信方法。
【発明の詳細な説明】
【０００１】
【発明の属する技術分野】
本発明は情報・広告配信システム及び情報・広告配信方法に関し、特に定期券情報，乗車券情報等の車両利用券情報を予め格納したＩＣカードを所持するユーザーが自動改札機を通過することでこの自動改札機を通過した駅を含む地域の情報・広告をユーザーが所持する携帯端末へ配信する情報・広告配信システム及び情報・広告配信方法に関する。
【０００２】
【従来の技術】
従来、この種の情報・広告配信システム及び情報・広告配信方法は、ユーザーが希望する情報・広告をユーザーが所有する携帯端末に配信するために用いられている。
【０００３】
この従来の情報・広告配信システムの第１の例は、情報の配信を受ける携帯端末と、配信するための情報を予め格納しこの格納した情報を前記携帯端末に配信する情報配信を行うサーバーと、これらを相互に接続する移動体通信網を含んだネットワークとから構成し、ユーザーは携帯端末を介してネットワーク上に開設された情報配信者のホームページにて配信を希望する情報を登録し、情報配信者はこの登録された配信を希望する情報をユーザーに対し一定時間間隔毎にユーザーの携帯端末へネットワークを介しサーバーより情報を配信する。また、この従来の情報・広告配信システムの第２の例は、移動体通信網を介してインターネットに接続することができる携帯端末と、情報を蓄積するサーバーと、これらを相互に接続する移動体通信網とインターネットを含んだネットワークにより構成し、ユーザーは携帯端末によりインターネットを介して情報検索をするホームページに接続し、要求する条件を入力して希望する情報を検索して取得する。
【０００４】
【発明が解決しようとする課題】
上述した従来の情報・広告配信システムは、第１の例では、ユーザーは携帯端末を介してネットワーク上に開設された情報配信者のホームページにて配信を希望する情報を登録し、情報配信者はこの登録された配信を希望する情報をユーザーに対し一定時間間隔毎にユーザーの携帯端末へネットワークを介しサーバーより情報を配信するため、ユーザーは配信を希望する情報を登録し、情報配信者はこの登録された配信を希望する情報を配信するので、情報配信者がユーザーの携帯端末に配信する情報は、ユーザーがどの地域にいても、ユーザーが現在いる地域と関係のない（地域の限定がなかったり地域に依存しない）情報や、あるいは、予め定められた特定地域のみの情報であり、ユーザーが現在いる地域に関係がある情報を配信できないという問題がある。
【０００５】
また、第２の例では、ユーザーは携帯端末によりインターネットを介して情報検索をするホームページに接続し、要求する条件を入力して希望する情報を検索して取得するため、そのときほしい情報を取得することはできるが、情報を取得するために携帯端末を操作して希望する情報を検索する必要があるという問題がある。
【０００６】
本発明の目的はこのような従来の欠点を除去するため、ユーザーが現在いる地域に関係がある情報を配信でき、ユーザーが情報を取得するために希望する情報を検索する必要がない情報・広告配信システム及び情報・広告配信方法を提供することにある。
【０００８】
【課題を解決するための手段】
本発明の情報・広告配信システムは、定期券情報，乗車券情報を含む車両利用券情報を予め格納したＩＣカードと、このＩＣカードを自動改札する駅構内に設置した自動改札機と、この自動改札機に接続したユーザー情報管理サーバーと、通信回線と、この通信回線に相互に接続された前記ユーザー情報管理サーバー，配信サーバー及び入金端末と、前記通信回線に接続する移動体通信網に接続される前記ＩＣカードに対応する携帯端末とを有し、ユーザーを識別するためのユーザー識別情報を予め格納した前記ＩＣカードと、前記ユーザーが所持する前記ＩＣカードを自動改札し自動改札したときに前記ＩＣカードに予め格納した前記ユーザー識別情報を読みとり、自動改札機自身に予め格納したこの自動改札機がどの駅のどの場所に設置されているかを特定するための地域情報を前記ユーザー識別情報とともに前記ユーザー情報管理サーバーへ送信する前記自動改札機と、前記ユーザー識別情報に対応するユーザー情報（配信を希望する情報・広告の種類、前記情報・広告の配信先の携帯端末のＥメールアドレスを含む。）を予め格納し、前記自動改札機より前記ユーザー識別情報と前記地域情報とを受けこの受けた前記ユーザー識別情報に対応する前記ユーザー情報をユーザー情報管理サーバー自身に予め格納した前記ユーザー情報より選出しこの選出した前記ユーザー情報を前記自動改札機より受けた前記地域情報とともに前記配信サーバーへ送信し、この送信した前記ユーザー情報と前記地域情報とに対応する前記情報・広告を受けたことを示す情報・広告配信確認情報を前記携帯端末より受けてこの情報・広告配信確認情報を前記ユーザー情報内に格納し、前記入金端末より前記ユーザー識別情報を受けこの受けた前記ユーザー識別情報に対応する前記ユーザー情報内の前記情報・広告配信確認情報を前記入金端末に送信する前記ユーザー情報管理サーバーと、駅周辺の地域の前記情報・広告を予め格納し、前記ユーザー情報管理サーバーより前記ユーザー情報と前記地域情報とを受けこの受けた前記ユーザー情報と前記地域情報とを使用して配信サーバー自身に予め格納した前記情報・広告から前記ユーザー情報で示す配信先に配信すべき前記情報・広告を選出しこの選出した前記情報・広告を前記携帯端末へ送信する前記配信サーバーと、前記配信サーバーより前記情報・広告を受けて表示し、前記ユーザーの指示により、前記情報・広告を受けたことを示す前記情報・広告配信確認情報を前記ユーザー情報管理サーバーへ送信する前記携帯端末と、前記ユーザーの指示により入金端末自身に入れられた前記ＩＣカードへこのＩＣカードに格納した前記車両利用券情報の有効性を維持するために前記ユーザーの指示により入金し、前記ＩＣカードに入金するときにこのＩＣカードに格納した前記ユーザー識別情報を前記ユーザー情報管理サーバーへ送信しこの送信に対応して前記ユーザー情報管理サーバより前記情報・広告配信確認情報を受けこの受けた前記情報・広告配信確認情報に対応する前記情報・広告を前記携帯電話が受信したときの受信料の補助として前記ＩＣカードへ予め定めた受信料補助金を入金する前記入金端末と、を備えて構成されている。
【０００９】
また、本発明の情報・広告配信システムの前記配信サーバーは、前記ユーザー情報管理サーバーより受けた前記地域情報より前記ユーザーの現在位置を特定しこの特定した現在位置に応じた地域に関して、前記ユーザー情報管理サーバーより受けた前記ユーザー情報内の配信を希望する前記情報・広告の種類に基づいた前記情報・広告を配信サーバー自身に予め格納した前記情報・広告から選出するようにしている。
【００１０】
更に、本発明の情報・広告配信システムは、前記ユーザーの指示にしたがって前記ユーザー情報を登録するホームページにアクセスして登録用画面を表示しこの登録用画面に表示された前記ユーザー情報の登録内容（配信を希望する情報・広告の種類、前記情報・広告の配信先の携帯端末のＥメールアドレスを含む。）を前記ユーザーの指示にしたがって指定しこの指定した前記ユーザー情報の前記登録内容を前記ユーザー情報管理サーバーに送信する前記携帯端末と、予め、前記携帯端末より前記ユーザー情報の前記登録内容を受けて格納する前記ユーザー情報管理サーバーと、を備えて構成されている。
【００１１】
本発明の情報・広告配信方法は、定期券情報，乗車券情報を含む車両利用券情報を予め格納するとともにユーザーを識別するためのユーザー識別情報を予め格納するＩＣカードを駅構内に設置した自動改札機により自動改札し、自動改札したときにこのＩＣカードに格納した前記ユーザー識別情報に基づいて前記ユーザーが希望する情報・広告を前記ユーザーの携帯端末に送信するようにした情報・広告配信方法であって、前記自動改札機により、前記ユーザーが所持する前記ＩＣカードを自動改札し自動改札したときに前記ＩＣカードに予め格納した前記ユーザー識別情報を読みとり、自動改札機自身に予め格納したこの自動改札機がどの駅のどの場所に設置されているかを特定するための地域情報を前記ユーザー識別情報とともに送信する第１ステップと、ユーザー情報管理サーバーにより、前記ユーザー識別情報に対応するユーザー情報（配信を希望する情報・広告の種類、前記情報・広告の配信先の携帯端末のＥメールアドレスを含む。）を予め格納し、前記第１ステップで前記自動改札機が送信した前記ユーザー識別情報と前記地域情報とを受けこの受けた前記ユーザー識別情報に対応する前記ユーザー情報をユーザー情報管理サーバー自身に予め格納した前記ユーザー情報より選出しこの選出した前記ユーザー情報を前記自動改札機より受けた前記地域情報とともに送信する第２ステップと、配信サーバーにより、駅周辺の地域の前記情報・広告を予め格納し、前記第２ステップで前記ユーザー情報管理サーバーが送信した前記ユーザー情報と前記地域情報とを受けこの受けた前記ユーザー情報と前記地域情報とを使用して配信サーバー自身に予め格納した前記情報・広告から前記ユーザー情報で示す配信先に配信すべき前記情報・広告を選出しこの選出した前記情報・広告を送信する第３ステップと、携帯端末により、前記第３ステップで前記配信サーバーが送信した前記情報・広告を受けて表示する第４ステップと、前記携帯端末により、前記ユーザーの指示により、前記第４ステップで携帯端末自身が前記情報・広告を受けたことを示す情報・広告配信確認情報を前記ユーザー情報管理サーバーへ送信する第５ステップと、前記ユーザー情報管理サーバーにより、前記第５ステップで前記携帯端末が送信した前記情報・広告配信確認情報を受けこの受けた前記情報・広告配信確認情報を前記ユーザー情報内に格納する第６ステップと、入金端末により、前記ユーザーの指示によりこの入金端末に入れられた前記ＩＣカードへこのＩＣカードに格納した前記車両利用券情報の有効性を維持するために前記ユーザーの指示により入金し、前記ＩＣカードに入金するときにこのＩＣカードに格納した前記ユーザー識別情報を前記ユーザー情報管理サーバーへ送信する第７ステップと、前記ユーザー情報管理サーバーにより、前記第７ステップで前記入金端末が送信した前記ユーザー識別情報を受けこの受けた前記ユーザー識別情報に対応する前記ユーザー情報内の前記情報・広告配信確認情報を前記入金端末に送信する第８ステップと、前記入金端末により、前記第８ステップで前記ユーザー情報管理サーバが送信した前記情報・広告配信確認情報を受けこの受けた前記情報・広告配信確認情報に対応する前記情報・広告を前記携帯電話が受信したときの受信料の補助として前記ＩＣカードへ予め定めた受信料補助金を入金する第９ステップと、を含んで構成されている。
【００１３】
また、本発明の情報・広告配信方法の前記第３ステップは、前記配信サーバーにより、前記ユーザー情報管理サーバーより受けた前記地域情報より前記ユーザーの現在位置を特定しこの特定した現在位置に応じた地域に関して、前記ユーザー情報管理サーバーより受けた前記ユーザー情報内の配信を希望する前記情報・広告の種類に基づいた前記情報・広告を配信サーバー自身に予め格納した前記情報・広告から選出するようにしている。
【００１４】
更に、本発明の情報・広告配信方法は、前記第２ステップより以前に、前記携帯端末により、前記ユーザーの指示にしたがって前記ユーザー情報を登録するホームページにアクセスして登録用画面を表示しこの登録用画面に表示された前記ユーザー情報の登録内容（配信を希望する情報・広告の種類、前記情報・広告の配信先の携帯端末のＥメールアドレスを含む。）を前記ユーザーの指示にしたがって指定しこの指定した前記ユーザー情報の前記登録内容を前記ユーザー情報管理サーバーに送信するステップと、前記ユーザー情報管理サーバーにより、前記携帯端末より前記ユーザー情報の前記登録内容を受けて格納するステップと、を含んで構成されている。
【００１５】
【発明の実施の形態】
次に、本発明の実施の形態について図面を参照して説明する。
【００１６】
図１は、本発明の情報・広告配信システムの一つの実施の形態を示すブロック図である。
【００１７】
図１に示す本実施の形態は、定期券情報，乗車券情報を含む車両利用券情報を予め格納したＩＣカード１と、このＩＣカード１を自動改札する駅構内に設置した自動改札機２と、この自動改札機２に接続したユーザー情報管理サーバー３と、通信回線（例えば、インターネット。以後、インターネット７と記載する。）と、このインターネット７に相互に接続されたユーザー情報管理サーバー３，配信サーバー４及び入金端末５と、インターネット７に接続する移動体通信網８に接続されるＩＣカード１に対応する携帯端末６とを有し、ユーザーを識別するためのユーザー識別情報（ユーザーＩＤ、ユーザーパスワード等）を予め格納したＩＣカード１と、ユーザーが所持するＩＣカード１を自動改札し自動改札したときにＩＣカード１に予め格納したユーザー識別情報を読みとり、自動改札機２自身に予め格納したこの自動改札機２がどの駅のどの場所に設置されているかを特定するための地域情報をユーザー識別情報とともにユーザー情報管理サーバー３へ送信する自動改札機２と、ユーザー識別情報に対応するユーザー情報（配信を希望する情報・広告の種類、情報・広告の配信先の携帯端末６のＥメールアドレス、配信する情報・広告の送信手段、性別、年齢を含む。）を予め格納し、自動改札機２よりユーザー識別情報と地域情報とを受けこの受けたユーザー識別情報に対応するユーザー情報をユーザー情報管理サーバー３自身に予め格納したユーザー情報より選出しこの選出したユーザー情報を自動改札機２より受けた地域情報とともに配信サーバー４へ送信し、この送信したユーザー情報と地域情報とに対応する情報・広告を受けたことを示す情報・広告配信確認情報を携帯端末６より受けてこの情報・広告配信確認情報をユーザー情報内に格納し、入金端末５よりユーザー識別情報を受けこの受けたユーザー識別情報に対応するユーザー情報内の情報・広告配信確認情報を入金端末５に送信するユーザー情報管理サーバー３と、駅周辺の地域の情報・広告を予め格納し、ユーザー情報管理サーバー３よりユーザー情報と地域情報とを受けこの受けたユーザー情報と地域情報とを使用して配信サーバー４自身に予め格納した情報・広告からユーザー情報で示す配信先に配信すべき情報・広告を選出しこの選出した情報・広告をユーザー情報で示す送信手段により携帯端末６へ送信する配信サーバー４と、配信サーバー４より情報・広告を受けて表示し、ユーザーの指示により、情報・広告を受けたことを示す情報・広告配信確認情報をユーザー情報管理サーバー３へ送信する携帯端末６と、ユーザーの指示により入金端末５自身に入れられたＩＣカード１へこのＩＣカード１に格納した車両利用券情報の有効性を維持するためにユーザーの指示により入金し、ＩＣカード１に入金するときにこのＩＣカード１に格納したユーザー識別情報をユーザー情報管理サーバー３へ送信しこの送信に対応してユーザー情報管理サーバより情報・広告配信確認情報を受けこの受けた情報・広告配信確認情報に対応する情報・広告を携帯電話が受信したときの受信料の補助としてＩＣカード１へ予め定めた受信料補助金を入金する入金端末５とにより構成されている。
【００１８】
次に、本実施の形態の情報・広告配信システムの動作を図２，図３及び図４を参照して詳細に説明する。
【００１９】
図２は、本発明の実施の形態の動作の一例を示し、本発明の情報・広告配信方法の一例を示す流れ図である。
【００２０】
図３は、ユーザー情報の登録例を示す図であり、ユーザー識別情報として予め定められたＩＣカード１のユーザーＩＤ、携帯電話番号、Ｅメールアドレスを記入し、個人情報のチェックボックスにチェックを入れ、配信希望媒体（配信する情報・広告の送信手段）にチェックを入れて送信を選択することでユーザー情報を登録することができ、登録した情報は同様にして変更可能である。登録例は２０代男性、選択したのはグルメ、音楽、Ｅ−ＭＡＩＬによる配信を希望していることを示している。
【００２１】
図４は、情報・広告の配信の確認を行うときの一例を示す図であり、携帯端末６に表示された情報・広告の末尾に表示する表示例を示している。
【００２２】
図１において、予め、ユーザーが所有しており移動体通信網８を介してインターネット７へ接続することができる携帯端末６により、ユーザーの指示にしたがってインターネット７上に開設しているユーザー情報を登録するホームページにアクセスして登録用画面を表示しこの登録用画面に表示されたユーザー情報の登録内容（配信を希望する情報・広告の種類、情報・広告の配信先の携帯端末６のＥメールアドレス、配信する情報・広告の送信手段、性別、年齢を含む。）をユーザーの指示にしたがって指定し、この指定したユーザー情報の登録内容をユーザー情報管理サーバー３に送信し、ユーザー情報管理サーバー３により、携帯端末６よりユーザー情報の登録内容を受けて格納しておく。このとき、携帯端末６には例えば図３に示すように表示され、例えば図３に示すように指定する（Ｓ１）。そして、駅構内に設置した公共交通網事業者が所有した自動改札機２により、ユーザーが駅構内の改札口を出るときに、ユーザーが所持するＩＣカード１を自動改札し自動改札したときにＩＣカード１に予め格納したユーザー識別情報を読みとり、自動改札機２自身に予め格納したこの自動改札機２がどの駅のどの場所に設置されているかを特定するための地域情報をユーザー識別情報とともにユーザー情報管理サーバー３へ送信する（Ｓ２）。公共交通網事業者または情報・広告配信者が所有する情報管理センターに設けられ、ワークステーション・サーバ等の情報処理装置によって構成されるユーザー情報管理サーバー３により、ユーザー識別情報に対応するユーザー情報を予め格納し、ステップ２（Ｓ２）で自動改札機２が送信したユーザー識別情報と地域情報とを受けこの受けたユーザー識別情報に対応するユーザー情報をユーザー情報管理サーバー３自身に予め格納したユーザー情報より選出しこの選出したユーザー情報を自動改札機２より受けた地域情報とともに配信サーバー４へ送信する（Ｓ３）。そして、情報・広告配信者が所有しており、ワークステーション・サーバ等の情報処理装置によって構成される配信サーバー４により、駅周辺の地域の情報・広告を予め格納し、ステップ３（Ｓ３）でユーザー情報管理サーバー３が送信したユーザー情報と地域情報とを受けこの受けたユーザー情報と地域情報とを使用して配信サーバー４自身に予め格納した情報・広告からユーザー情報で示す配信先に配信すべき情報・広告を選出する。すなわち、配信サーバー４により、ユーザー情報管理サーバー３より受けた地域情報よりユーザーの現在位置（ユーザーがどの駅のどの改札口近辺にいるということ）を特定しこの特定した現在位置に応じた地域に関して、ユーザー情報管理サーバー３より受けたユーザー情報内の配信を希望する情報・広告の種類に基づいた情報・広告を配信サーバー４自身に予め格納した駅周辺の地域の情報・広告から選出する。例えば、特定したユーザーの現在位置に応じた地域で、グルメに関しては、男性には全年齢にラーメン情報、女性には１０代にファーストフード情報、音楽に関しては、男／女とも全年齢にＣＤレンタル屋の広告が登録されていた場合には、図３のようにユーザー情報を登録したこのユーザーには、ラーメン情報とＣＤレンタル屋の広告が選出される。この選出した情報・広告をユーザー情報で示す送信手段（例えばＥ−ＭＡＩＬやＪＡＶＡ（登録商標）アプリケーション等、ＪＡＶＡ（登録商標）アプリケーションでは例えばゲームのサンプルを送る。）により携帯端末６へ送信する（Ｓ４）。携帯端末６は、インターネット７を介して、ステップ４（Ｓ４）で配信サーバー４が送信した情報・広告を受けて表示する（Ｓ５）。また、携帯端末６は、この表示によりユーザーが配信の確認を行いユーザーの指示にしたがって、すなわち、図４で示すように携帯端末６に表示された情報・広告の末尾の表示の”はい”をユーザーが選択すると、ステップ５（Ｓ５）で携帯端末６自身が情報・広告を受けたことを示す情報・広告配信確認情報をユーザー情報管理サーバー３へ送信する（Ｓ６）。ユーザー情報管理サーバー３により、ステップ６（Ｓ６）で携帯端末６が送信した情報・広告配信確認情報を受けこの受けた情報・広告配信確認情報をユーザー情報内に格納する（Ｓ７）。次に、入金端末５により、ユーザーの指示によりこの入金端末５に入れられたＩＣカード１へこのＩＣカード１に格納した車両利用券情報の有効性を維持するためにユーザーの指示により入金し、ＩＣカード１に入金するときにこのＩＣカード１に格納したユーザー識別情報をユーザー情報管理サーバー３へ送信する（Ｓ８）。ユーザー情報管理サーバー３は、ステップ８（Ｓ８）で入金端末５が送信したユーザー識別情報を受けこの受けたユーザー識別情報に対応するユーザー情報内の情報・広告配信確認情報を入金端末５に送信する（Ｓ９）。そして、入金端末５により、ステップ９（Ｓ９）でユーザー情報管理サーバが送信した情報・広告配信確認情報を受けこの受けた情報・広告配信確認情報に対応する情報・広告を携帯電話が受信したときの受信料の補助としてＩＣカード１へ予め定めた受信料補助金を入金する（Ｓ１０）。
【００２３】
以上の説明では、ステップ１（Ｓ１）で、携帯端末６により、ユーザー情報を指定して、この指定したユーザー情報をユーザー情報管理サーバー３に送信して、ユーザー情報管理サーバー３に登録するようにしたが、携帯端末６の代わりにインターネット７に接続したパーソナルコンピュータ等の情報処理装置であるユーザー端末により、ユーザー情報を指定して、ユーザー情報管理サーバー３に登録するようにしても良い。すなわち、ユーザー端末により、ユーザーの指示にしたがってインターネット７上に開設しているユーザー情報を登録するホームページにアクセスして登録用画面を表示しこの登録用画面に表示されたユーザー情報の登録内容をユーザーの指示にしたがって指定し、この指定したユーザー情報の登録内容をユーザー情報管理サーバー３に送信し、ユーザー情報管理サーバー３により、ユーザー端末よりユーザー情報の登録内容を受けて格納することによりユーザー情報管理サーバー３にユーザー情報を登録するようにしても良い。
【００２４】
また、ステップ１（Ｓ１）で、ユーザー端末がインターネット７を介してユーザー情報管理サーバー３にユーザー情報を登録するようにしても良い。すなわち、ユーザー端末により、ユーザー情報を登録するためユーザー情報管理サーバー３へアクセスすると、ユーザー情報管理サーバー３はユーザーＩＤとユーザーパスワードをユーザー端末に要求する。ユーザー端末は、ユーザーの指示にしたがってユーザーＩＤとユーザーパスワードをユーザー情報管理サーバー３へ送信し、ユーザー情報管理サーバー３はこのユーザーＩＤとユーザーパスワードとを確認後、ユーザー端末へ確認ＯＫを送信する。その後ユーザーはユーザー情報を登録することが可能になり、例えば、予め定められた登録用画面をユーザー情報管理サーバー３より受けて表示しこの登録用画面に表示されたユーザー情報の登録内容をユーザーの指示にしたがって指定し、この指定したユーザー情報の登録内容をユーザー情報管理サーバー３に送信し、ユーザー情報管理サーバー３により、ユーザー端末よりユーザー情報の登録内容を受けて格納することによりユーザー情報管理サーバー３にユーザー情報を登録するようにしても良い。
【００２５】
【発明の効果】
以上説明したように、本発明の情報・広告配信システム及び情報・広告配信方法によれば、自動改札機により、ユーザーが所持するＩＣカードを自動改札したときにユーザー識別情報を読みとり、この自動改札機に予め格納したこの自動改札機に固有の地域情報とともにユーザー情報管理サーバーへ送信し、ユーザー情報管理サーバーにより、ユーザー識別情報と地域情報とを受け、ユーザー識別情報に対応するユーザー情報を選出し地域情報とともに配信サーバーへ送信しこの送信に対応して情報・広告配信確認情報を携帯端末より受けて格納し、入金端末よりユーザー識別情報を受けこのユーザー識別情報に対応する情報・広告配信確認情報を入金端末に送信し、配信サーバーにより、ユーザー情報管理サーバーよりユーザー情報と地域情報とを受けこの受けたユーザー情報と地域情報とを使用して予め格納しておいた駅周辺の地域の情報・広告からユーザー情報で示す配信先に配信すべき情報・広告を選出し携帯端末へ送信し、携帯端末により、配信サーバーより情報・広告を受けて表示し、ユーザーの指示により、情報・広告を受けたことを示す情報・広告配信確認情報をユーザー情報管理サーバーへ送信する。そして、入金端末により、ユーザーの指示にしたがってＩＣカードに入金するときにこのＩＣカードに予め格納したユーザー識別情報をユーザー情報管理サーバーへ送信しユーザー情報管理サーバより情報・広告配信確認情報を受けこの受けた情報・広告配信確認情報に対応する情報・広告を携帯電話が受信したときの受信料の補助としてＩＣカードへ予め定めた受信料補助金を入金するため、
ユーザーが所持するＩＣカードを自動改札機により自動改札すると、配信サーバーにより、このＩＣカードに予め格納したユーザー識別情報に対応するユーザー情報とＩＣカードを自動改札した自動改札機に固有の地域情報にしたがった、駅周辺の地域の情報・広告を選出しユーザーの携帯端末へ送信するので、ユーザーが現在いる地域に関係がある情報を配信でき、ユーザーが情報を取得するために希望する情報を検索する必要がない。
【００２６】
また、入金端末により、ユーザーの指示にしたがってＩＣカードに入金するときにこのＩＣカードに予め格納したユーザー識別情報をユーザー情報管理サーバーへ送信しユーザー情報管理サーバよりこのサーバーに格納した情報・広告配信確認情報を受けこの受けた情報・広告配信確認情報に対応する情報・広告を携帯電話が受信したときの受信料の補助としてＩＣカードへ予め定めた受信料補助金を入金するので、一般に、ユーザーはより多くの情報を受信した場合広告を読まない可能性があるが、広告受信料を補助することによりユーザーが広告を読む確率が高くなる。また、ユーザー情報管理サーバに格納した情報・広告配信確認情報を見ることにより、情報・広告配信者は情報・広告がより確実に配信されたということが確認でき、確認したうえで広告元へ広告料を請求することができる。さらに、広告元はユーザーが広告を読んだことを確認することが出来るのでより読まれる広告を考える等効率的に広告を配信することができる。
【図面の簡単な説明】
【図１】本発明の情報・広告配信システムの一つの実施の形態を示すブロック図である。
【図２】本発明の実施の形態の動作の一例を示し、本発明の情報・広告配信方法の一例を示す流れ図である。
【図３】ユーザー情報の登録例を示す図である。
【図４】情報・広告の配信の確認を行うときの一例を示す図である。
【符号の説明】
１    ＩＣカード
２    自動改札機
３    ユーザー情報管理サーバー
４    配信サーバー
５    入金端末
６    携帯端末
７    インターネット
８    移動体通信網
【図１】
0003899944.tif 000002
【図２】
0003899944.tif 000003
【図３】
0003899944.tif 000004
【図４】
0003899944.tif 000005